(57)【要約】【課題】発行・検査工程の作業負荷を軽減することが可能な携帯可能電子装置を提供することを目的とする。【解決手段】携帯可能電子装置は、所定動作を診断する診断手段（２７）と、前記診断手段による診断結果を示す診断結果情報を記憶する記憶手段（２８）と、外部機器と通信する通信手段（２１）と、前記通信手段を介しての外部機器からの情報受信に基づき、前記記憶手段に記憶された前記診断結果情報を外部機器へ送信する制御手段（２６）とを備えている。【選択図】      図１
2007128248.tif 000002
【特許請求の範囲】
【請求項１】
所定動作を診断する診断手段と、
前記診断手段による診断結果を示す診断結果情報を記憶する記憶手段と、
外部機器と通信する通信手段と、
前記通信手段を介しての外部機器からの情報受信に基づき、前記記憶手段に記憶された前記診断結果情報を外部機器へ送信する制御手段と、
を備えたことを特徴とする携帯可能電子装置。
【請求項２】
前記診断手段は、前記制御手段の制御動作を診断することを特徴とする請求項１に記載の携帯可能電子装置。
【請求項３】
前記診断手段は、前記記憶手段の記憶動作を診断することを特徴とする請求項１に記載の携帯可能電子装置。
【請求項４】
前記制御手段は、所定コマンドの受信に基づき前記診断結果情報を送信することを特徴とする請求項１に記載の携帯可能電子装置。
【請求項５】
前記制御手段は、初期化コマンドの受信に基づき前記診断結果情報を送信することを特徴とする請求項１に記載の携帯可能電子装置。
【請求項６】
前記制御手段は、初期化コマンドを受信し、発行処理中に該当することを認識することに基づき、前記診断結果情報を送信することを特徴とする請求項１に記載の携帯可能電子装置。
【請求項７】
前記制御手段は、初期化コマンドを受信し、検査処理中に該当することを認識することに基づき、前記診断結果情報を送信することを特徴とする請求項１に記載の携帯可能電子装置。
【請求項８】
前記制御手段は、前記記憶手段に記憶された前記診断結果情報が異常を示すことに基づき、前記記憶手段に記憶された前記診断結果情報をそのまま外部機器へ送信し、前記記憶手段に記憶された前記診断結果情報が正常を示すことに基づき、前記診断手段による再診断を実行しこの再診断により得られる診断結果情報を送信することを特徴とする請求項１に記載の携帯可能電子装置。
【発明の詳細な説明】
【技術分野】
【０００１】
本発明は、例えば、たとえば不揮発性のデータメモリおよびＣＰＵなどの制御素子を有するＩＣ（集積回路）チップを内蔵し、電磁誘導および電磁結合により非接触で通信するＩＣカードと称される携帯可能電子装置に関する。
【背景技術】
【０００２】
周知のように、接触式及び非接触式のＩＣカードが普及しつつある。例えば、鉄道などの交通機関では、ＩＣカードが乗車券として利用されている。このようなＩＣカードは、定期券の情報及び予め支払われた金額に相当する金額情報を記憶している。
【０００３】
上記のように、ＩＣカードは重要な情報を記憶するため、ＩＣカードの信頼性は十分に確保されている必要がある。そのため、ＩＣカードの発行工程は厳重に管理されており、またＩＣカードの発行時には十分な検査体制が整えられている。
【０００４】
また、ＩＣカードの普及に伴い、ＩＣカードに関する様々な提案がなされている。例えば、自己診断機能を有するＩＣカードが提案されている（特許文献１、２参照）。
【特許文献１】特開昭６３−１８０１８５号公報
【特許文献２】特開昭６３−２３４３７５号公報
【発明の開示】
【発明が解決しようとする課題】
【０００５】
上記したＩＣカードの発行・検査は、複数の作業工程に分かれている。このため、作業工程毎に異常ＩＣカードを選別しなければならない。結果的に、異常ＩＣカードの選別作業が煩雑になっている。
【０００６】
また、ＩＣカード処理端末が、ＩＣカードの異常内容を知るためには、ＩＣカードに対して応答要求を送信しなければならない。そのため、異常ＩＣカードと正常ＩＣカードとの判別作業も煩雑になっている。
【０００７】
これら問題は、上記した自己診断機能を有するＩＣカードの提案（特許文献１、２参照）をもってしても、解決には至らない。
【０００８】
本発明の目的は、上記課題を解決するためになされたものであり、発行・検査工程の作業負荷を軽減することが可能な携帯可能電子装置を提供することにある。
【課題を解決するための手段】
【０００９】
この発明の携帯可能電子装置は、例えば、所定動作を診断する診断手段と、前記診断手段による診断結果を示す診断結果情報を記憶する記憶手段と、外部機器と通信する通信手段と、前記通信手段を介しての外部機器からの情報受信に基づき、前記記憶手段に記憶された前記診断結果情報を外部機器へ送信する制御手段とを備えている。
【発明の効果】
【００１０】
本発明によれば、上記課題を解決するためになされたものであり、発行・検査工程の作業負荷を軽減することが可能な携帯可能電子装置を提供できる。
【発明を実施するための最良の形態】
【００１１】
以下、図面を参照し、本発明の実施形態について説明する。
【００１２】
図１は、本発明の実施形態に係るＩＣカードリーダライタ及びＩＣカード（携帯可能電子装置）の概略構成を示すブロック図である。なお、本実施形態では、非接触式ＩＣカードについて説明するが、この発明はこれに限定されるものではなく、接触式のＩＣカードでもよい。
【００１３】
リーダライタ１は、通信部１１、制御部（ＣＰＵ）１２、及び表示部１３を備えている。このリーダライタ１は、非接触式ＩＣカード２と無線通信する。通信部１１は、送信信号の変調と受信信号の復調を行なう。制御部１２は、復調された受信信号に基づき各部の動作を制御する。例えば、制御部１２の制御に基づき、表示部１３は、非接触式ＩＣカード２から送信される診断結果情報を表示する。また、図示しない操作部を介して、非接触式ＩＣカード２に対する情報が入力されると、通信部１１は、入力情報を送信信号に変調し、非接触式ＩＣカード２に送信する。
【００１４】
非接触式ＩＣカード２は、通信部２１、検波整流回路２２、電源回路２３、受信回路２４、送信回路２５、制御部２６、自己診断部２７、及び記憶部（不揮発性メモリ）２８を備えている。検波整流回路２２は、通信部２１を介して受信したリーダライタ１からの信号を整流して出力する。受信回路２４は、検波整流回路２２を介して受信したリーダライタ１からの信号の所定のキャリア波を任意に復調して、制御部２６に出力する。電源回路２３は、検波整流回路２２からの整流出力を安定化して動作電力を生成し、この動作電力を制御部２６や図示しないその他の回路部へ供給する。
【００１５】
自己診断部２７は、記憶部２８の検査（記憶部２８への記憶情報の書き込み、記憶部２８からの記憶情報の読み出しが正常かどうか判断する）、制御部２６の検査（さまざまなファンクションを実行し、実行結果として期待される応答と実際の応答結果の比較照合にＲＯＭ、ＲＡＭの状態を含め、制御部２６が正常に動作したかどうかを判断する）を行ない、制御部２６を介して自己診断結果（異常の詳細情報を含む自己診断結果）を記憶部２８の所定のアドレスに書き込む。
【００１６】
そして、非接触式ＩＣカード２がリーダライタ１と通信状態となったとき、リーダライタ１は、非接触式ＩＣカード２に対して、初期化、識別のための応答要求を送信する。その応答要求に対して、識別の結果、非接触式ＩＣカード２が発行・検査状態（発行処理中又は検査処理中）である場合には、制御部２６は、記憶部２８の所定のアドレスを参照して、自己診断結果を読み出す。送信回路２５は、その自己診断結果の情報を変調して、検波整流回路２２および通信部２１を介してリーダライタ１へ送信する。
【００１７】
このようにして、リーダライタ１からの任意の信号に対して、非接触式ＩＣカード２の異常が判別できるとともに、非接触式ＩＣカード２のどの部分に異常があるかを即座に知ることが可能となる。
【００１８】
次に、本発明である非接触式ＩＣカード２の通信時の動作を図２に示すフローチャートを用いて説明する。
【００１９】
非接触式ＩＣカード２がリーダライタ１の電磁界領域に進入すると、非接触式ＩＣカード２は通信可能状態となり活性化する（ステップ１００）。なお、非接触式ＩＣカード２（制御部２６）は、リーダライタ１と通信が可能で、発行・検査状態と運用状態とを識別できる機能を有している。
【００２０】
非接触式ＩＣカード２が、初期化、識別のための応答要求をリーダライタ１から受信すると（ステップ１０１）、非接触式ＩＣカード２（制御部２６）は、（１）発行・検査状態（発行処理中又は検査処理中）なのか、（２）運用状態なのかを識別する（ステップ１０２）。識別結果が（１）発行・検査時状態であれば、自己診断部２７は、記憶部２８の自己診断結果のアドレスを参照し、過去の自己診断結果が正常か否かを確認する（ステップ１０３）。
【００２１】
過去の自己診断結果が正常なら(ステップ１０３、ＹＥＳ）、自己診断部２７は、現在の自己診断を行なう（ステップ１０４）。現在の自己診断結果が正常であれば(ステップ１０４、ＹＥＳ）、非接触式ＩＣカード２は正常を示すデータをリーダライタ２に送信する（ステップ１０７）。また、ステップ１０３で過去の自己診断結果が異常であれば(ステップ１０３、ＮＯ)、非接触式ＩＣカード２は異常を示すデータをリーダライタ１に送信する（ステップ１０６）。
【００２２】
自己診断を行なって異常が判明した場合には（ステップ１０４、ＮＯ）、自己診断部２７は、記憶部２８の所定のアドレスに異常情報を書き込む（ステップ１０５）。その後、非接触式ＩＣカード２は異常を示すデータをリーダライタ１に送信する（ステップ１０６）。
【００２３】
先のステップ１０２で識別結果が運用状態であれば、非接触式ＩＣカード２は、リーダライタ１へ無応答または異常を示すデータを発する（ステップ１０８）。
【００２４】
以上のように、非接触式ＩＣカードの製造時に、自己診断結果を履歴として非接触式ＩＣカード２に残し、非接触式ＩＣカード２が、発行、検査状態であるとの認識時に、任意の信号（例えば初期化、識別のための応答要求）を受信すると、異常の自己診断結果を記憶している場合にはそのまま異常の自己診断結果を返し、正常の自己診断結果を記憶している場合には、再度、自己診断を実行し、この自己診断結果を返す。つまり、リーダライタ１側が意識的に自己診断結果を要求しなくても、非接触ＩＣカードの発行、検査状態においては、非接触ＩＣカード２から自己診断結果が送信される。これにより、発行、検査において異常のＩＣカードの識別が容易になる。しかも、ＩＣカード側は、常に、過去の自己診断結果を保持することができる。
【００２５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００２６】
【図１】非接触式ＩＣカードの概略構成の一例を示すブロック図である。
【図２】非接触式ＩＣカードとリーダライタとの通信動作の一例を説明するためのフローチャートである。
【符号の説明】
【００２７】
１…リーダライタ、２…ＩＣカード、１１…通信部、１２…制御部、１３…表示部、２１…通信部、２２…検波整流回路、２３…電源回路、２４…受信回路、２５…送信回路、２６…制御部、２７…自己診断部、２８…記憶部
【図１】
2007128248.tif 000003
【図２】
2007128248.tif 000004